(57)【要約】  任意のファンとの対話を自由に切り替えるライブ配信により、「いつか選ばれるかもしれない」という期待感を醸成し、視聴する契機とする技術を提供すること。  配信者端末と、複数の視聴者端末と、前記配信者端末及び前記複数の視聴者端末の夫々と通信をするサーバと、を含む情報処理システムにおいて、前記サーバは、配信において前記複数の視聴者の中から、チャットの候補者を前記配信者端末に１人以上表示させる表示制御手段と、１人以上の前記候補者の中からチャット対象者を前記配信者が指定する操作を前記配信者端末を介して受け付ける受付手段と、前記チャット対象者の前記視聴者端末と、前記配信者の前記配信者端末との間でチャットを行うチャット制御手段と、当該チャットの内容を含む所定のコンテンツを、前記複数の視聴者端末の夫々にライブ配信するライブ配信手段と、を備える情報処理システム。
2018074516.tif 000002
【特許請求の範囲】
【請求項１】
ライブの配信者が操作する配信者端末と、
当該ライブの複数の視聴者が夫々操作する複数の視聴者端末と、
前記配信者端末及び前記複数の視聴者端末の夫々と通信をするサーバと、
を含む情報処理システムにおいて、
前記サーバは、
前記ライブの配信において前記複数の視聴者の中から、チャットの候補者を前記配信者端末に１人以上表示させる表示制御手段と、
１人以上の前記候補者の中からチャット対象者を前記配信者が指定する操作を前記配信者端末を介して受け付ける受付手段と、
前記チャット対象者の前記視聴者端末と、前記配信者の前記配信者端末との間でチャットを行うチャット制御手段と、
当該チャットの内容を含む所定のコンテンツを、前記複数の視聴者端末の夫々にライブ配信するライブ配信手段と、
を備える情報処理システム。
【請求項２】
前記表示制御手段は、前記チャットの候補者を属性毎に分類又は順に並び替えて表示させる
請求項１に記載の情報処理システム。
【請求項３】
前記表示制御手段は、前記チャットの候補者の並び順を前記配信者端末からの編集結果に基づいて表示させる
請求項１又は請求項２に記載の情報処理システム。
【請求項４】
前記表示制御手段は、前記チャットの候補者の画像に近接して当該チャットの候補者のステータスを表示させる
請求項１、請求項２又は請求項３に記載の情報処理システム。
【請求項５】
前記情報処理システムは、
ライブの配信者がチャットに招待したゲストが操作するゲスト端末を更に含み、
前記チャット制御手段は、前記チャット対象者の前記視聴者端末と、前記配信者の前記配信者端末と、前記ゲスト端末との間でチャットを行う
請求項１乃至４のうち何れか１項に記載の情報処理システム。
【請求項６】
前記ライブ配信手段は、前記チャットの内容を含む所定のコンテンツのライブ配信を開始する際に前記複数の視聴者端末の夫々に、前記ライブの配信者からの着信を受けた状態を示す画面を表示させ、履歴情報に前記ライブの配信者からの着信が有ったことを記録させる
請求項１乃至５のうち何れか１項に記載の情報処理システム。
【発明の詳細な説明】
【技術分野】
【０００１】
本発明は、情報処理システムに関する。
【背景技術】
【０００２】
従来より、情報端末機能の利用を苦手とする人々、老若男女、あまりインターネットの知識がない人々に、簡単にビデオライブチャットシステムを使ってもらう為の情報処理システムが提案されていた。
この様なメッセージサービスを、テレビ生放送番組において、視聴者とのリアルタイムコミュニケーションツールとして利用することも、既になされている（例えば特許文献１参照）。
しかし、この様な利用も、連絡先を記入したハガキやｅメールによる事前応募等により当選者が抽選されるため、新たな視聴の契機とはなり難かった。
【先行技術文献】
【特許文献】
【０００３】
【特許文献１】特開２０１３−１０５４８２号公報
【発明の概要】
【発明が解決しようとする課題】
【０００４】
本発明は、このような状況に鑑みてなされたものであり、より多くのファンがライブ配信を視聴する契機を与えることができる技術を提供することを目的とする。
【課題を解決するための手段】
【０００５】
上記目的を達成するため、本発明の一態様である情報処理システムは、
ライブの配信者が操作する配信者端末と、
当該ライブの複数の視聴者が夫々操作する複数の視聴者端末と、
前記配信者端末及び前記複数の視聴者端末の夫々と通信をするサーバと、
を含む情報処理システムにおいて、
前記サーバは、
前記ライブの配信において前記複数の視聴者の中から、チャットの候補者を前記配信者端末に１人以上表示させる表示制御手段と、
１人以上の前記候補者の中からチャット対象者を前記配信者が指定する操作を前記配信者端末を介して受け付ける受付手段と、
前記チャット対象者の前記視聴者端末と、前記配信者の前記配信者端末との間でチャットを行うチャット制御手段と、
当該チャットの内容を含む所定のコンテンツを、前記複数の視聴者端末の夫々にライブ配信するライブ配信手段と、
を備える。
【発明の効果】
【０００６】
本発明によれば、より多くのファンがライブ配信を視聴する契機を与えることができる。
【図面の簡単な説明】
【０００７】
【図１】本発明の情報処理システムの一実施形態の構成を示すブロック図である。
【図２】図１の情報処理システムのうちサーバのハードウェア構成を示すブロック図である。
【図３】図１の情報処理システムのうちサーバ、配信者端末及び視聴者端末の機能的構成例を示す機能ブロック図である。
【図４】図１の情報処理システムのうち配信者端末に提示される画面の一例を示す図である。
【図５】図３の機能的構成を有するサーバが実行する、処理の流れの一例を説明するフローチャートである。
【図６】図３の機能的構成を有するサーバが実行する、コイン投入量でチャット対象者の優先順位を決定する処理の概要を示す図である。
【図７】図１の情報処理システムのうち視聴者端末に提示される画面の一例を示す図である。
【図８】図１の情報処理システムのうち視聴者端末に提示される画面の一例を示す図である。
【発明を実施するための形態】
【０００８】
図１は、本発明の一実施形態に係る情報システムの構成を示すブロック図である。
図１に示す情報処理システムは、サーバ１と、配信者端末２と、ｎ人（ｎはゼロ以上の任意の整数値）のゲストの夫々により使用されるゲスト端末３−１乃至３−ｎと、ｍ人（ｍは１以上の任意の整数値）の視聴者の夫々により使用される視聴者端末４−１乃至４−ｍとを含むシステムである。
ライブ配信とは、公開チャットを含む各種コンテンツについてのリアルタイム配信をいう。
配信者とは、ライブ配信を行う主体であり、本実施形態では１以上の視聴者との公開チャットを行う者をいう。
さらに本実施形態では、このチャットは、メッセージ等をリアルタイムにやり取りする端末のみならず、そのチャット内容が映像として視聴者端末４−１乃至４−ｍの全てにもライブ配信される、いわゆる公開チャットである。
ゲストとは、配信者の招待により公開チャットに特別に参加するユーザをいう。
視聴者とは、公開チャットを視聴する者をいい、チャット候補者、チャット対象者を含む。
ここで、本明細書において、チャットとは、ネットワークＮを通じて、複数端末間でメッセージ等をリアルタイムにやり取りするコミュニケーションを含む。コミュニケーションの手段としては、文字、音声、画像（静止画像及び動画像）等を用いることができる。これらの手段を用いたチャットの夫々は、テキストチャット、ボイスチャット及びビデオチャット等と呼ばれている。以下の説明では、ビデオチャットを想定しているが、特にこれに限定されず、テキストチャットやボイスチャットも採用することができる。ここで、ボイスチャットには、いわゆる「電話」も含めることができる。つまり、ネットワークＮが、携帯電話のキャリアが管理するキャリア網である場合、いわゆる「電話」もボイスチャットと把握することができる。また、ビデオチャットとテキストチャットを組み合わせて、画像中にメッセージテキストを重畳してスクロール表示させても良い。
サーバ１と、配信者端末２と、ゲスト端末３−１乃至３−ｎの夫々と、視聴者端末４−１乃至４−ｍの夫々とは、インターネット等の所定のネットワークＮを介して相互に接続されている。
【０００９】
サーバ１は、配信者端末２と、ゲスト端末３−１乃至３−ｎの夫々と、視聴者端末４−１乃至４−ｍの夫々に対してライブ配信する環境を提供する。
なお、以下、ゲスト端末３−１乃至３−ｎの夫々を個々に区別する必要がない場合、これらをまとめて「ゲスト端末３」と呼ぶ。
同様に、以下、視聴者端末４−１乃至４−ｍの夫々を個々に区別する必要がない場合、これらをまとめて「視聴者端末４」と呼ぶ。
なお、配信者は任意のユーザをチャットに参加させたい場合は、配信者端末２を操作して、ゲストユーザを特別に招待することが出来る。
ゲストユーザが使用するゲスト端末３の構成は、他の端末と同様であるので、以降は図示及び説明は省略する。
【００１０】
図２は、図１の情報処理システムのサーバのハードウェア構成を示すブロック図である。
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０とを備えている。
【００１１】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００１２】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００１３】
出力部１６は各種液晶ディスプレイ等で構成され、各種情報を出力する。
入力部１７は、各種ハードウェア釦等で構成され、各種情報を入力する。
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（図１の例では配信者端末２や視聴者端末４等）との間で行う通信を制御する。
【００１４】
ドライブ２０は、必要に応じて設けられる。ドライブ２０には磁気ディスク、光ディスク、光磁気ディスク、或いは半導体メモリ等よりなる、リムーバブルメディア４１が適宜装着される。ドライブ２０によってリムーバブルメディア４１から読み出されたプログラムは、必要に応じて記憶部１８にインストールされる。またリムーバブルメディア４１は、記憶部１８に記憶されている各種データも、記憶部１８と同様に記憶することができる。
【００１５】
配信者端末２、ゲスト端末３又は視聴者端末４の構成は、タッチパネルを有する場合がある点を除き、サーバ１の構成と基本的に同様であるので、ここではそれらの説明は省略する。
【００１６】
このような図２のサーバ１、配信者端末２、ゲスト端末３及び視聴者端末４の各種ハードウェアと各種ソフトウェアとの協働により、次のような処理が実行可能となる。
【００１７】
即ち、本実施形態では、サーバ１は、視聴者端末４で公開チャットを視聴する視聴者の中から、１人以上のチャット候補者を任意の方法で抽出する。サーバ１は、抽出した１人以上のチャット候補者の中から、配信者端末２からの指示に基づいてチャット対象者を決定する。
サーバ１は、この様にして決定したチャット対象者の視聴者端末４と、配信者端末２との間で公開チャットを行うために必要な各種制御を実行し、そのチャット内容を含む所定のコンテンツを視聴者端末４等にライブ配信する。
ここで、チャット対象者に選択されていない１人以上のチャット候補者の視聴者端末４が撮像する画像（主に視聴者の顔画像）は、少なくとも配信者端末２に一覧表示されて、配信者側でいつでも選択できる状態となっている。
この様にすることにより、アイドルタレント等が配信者となっているライブ配信において、任意のファン（視聴者）との対話を自由に切り替えてライブ配信に載せることにより、視聴しているファンに「いつか選ばれるかもしれない」という期待感を醸成し、以て、より多くのファンがライブ配信の視聴者となる契機とすることができる。
【００１８】
以上説明したような、公開チャットをライブ配信する一連の処理（以下、「ライブ配信処理」と呼ぶ）を実現すべく、サーバ１、配信者端末２及び視聴者端末４は図３に示すような機能的構成を有している。
以下、上述の視聴者端末４のうち、チャット対象者が操作するものを視聴者端末４−ａ（ａは１からｍのうちの任意の整数値）として説明する。そして、上述の視聴者端末４のうち、次にチャット対象者となり得るチャット候補者を、視聴者端末４−ｂ（ｂはａとは異なる整数値であって、１からｍのうちの任意の整数値）、チャット対象者でもチャット候補者でもない単なるライブ配信を視聴する視聴者を、視聴者端末４−ｃ（ｃはａ、ｂとは異なる整数値であって、１からｍのうちの任意の整数値）として説明する。
【００１９】
図３は、図２のサーバ及びユーザ端末の機能的構成例を示す機能ブロック図である。
サーバ１のＣＰＵ１１においては、表示制御部６０と、受付部６１と、チャット制御部６２と、ライブ配信部６３と、時間管理部６４と、チャット接続部６５と、が機能する。
配信者端末２のＣＰＵ１１ｄにおいては、選択操作受付部６０ｄと、撮像制御部６１ｄと、表示制御部６２ｄと、が機能する。
視聴者端末４−ａのＣＰＵ１１ａにおいては、撮像制御部６０ａと、表示制御部６１ａと、が機能する。
視聴者端末４−ｂのＣＰＵ１１ｂにおいては、撮像制御部６０ｂと、表示制御部６１ｂと、が機能する。
視聴者端末４−ｃのＣＰＵ１１ｃにおいては、撮像制御部６０ｃと、表示制御部６１ｃと、が機能する。
【００２０】
サーバ１のＣＰＵ１１の表示制御部６０は、通信部１９を介して、ライブ配信についての複数の視聴者の中から、チャットの候補者を配信者端末２の表示部１６ｄに１人以上表示させる。
サーバ１のＣＰＵ１１の受付部６１は、配信者が指定したチャット対象者を特定する情報を、通信部１９を介して、配信者端末２から受け付ける。
【００２１】
サーバ１のＣＰＵ１１のチャット制御部６２は、配信者が指定したチャット対象者を特定する情報に基づいて、チャット対象者の視聴者端末４−ａを特定し、チャット接続部６５及び通信部１９を介してチャット対象者に指定された旨を通知する。
チャット制御部６２は、更に、チャット接続部６５及び通信部１９を介して、視聴者端末４−ａ及び視聴者端末４−ｂに撮像等の開始指示を送信する。
【００２２】
サーバ１のＣＰＵ１１のライブ配信部６３は、チャットの内容を、配信者端末２及び視聴者端末４−ａに相互に通信部１９を介して送信する。
ライブ配信部６３は、更に、チャットの内容を含む所定のコンテンツを、配信者端末２及び複数の視聴者端末４の夫々に通信部１９を介してライブ配信する。
【００２３】
サーバ１のＣＰＵ１１の時間管理部６４は、一定時間が経過した場合に、チャット候補者一覧の表示を更新するための指示を、表示制御部６０に与える。
この様にすることにより、サーバ１のＣＰＵ１１のチャット制御部６２は、チャット対象者の視聴者端末４−ａと、配信者の配信者端末２との間でチャットを行う。
【００２４】
サーバ１のＣＰＵ１１のチャット接続部６５は、視聴者端末４のうち、チャット対象者の視聴者端末４−ａ及びチャット候補者の視聴者端末４−ｂとのセッションを管理する。
この様にすることにより、ＣＰＵ１１等のサーバ１のハードウェア資源に過大な負荷を掛ける事無く、チャット候補者の視聴者端末４−ｂの撮像等を先読みしておくことができ、チャット対象者をチャット候補者の一人に切り替えた場合の接続待ち時間の発生を、回避することができる。
【００２５】
配信者端末２のＣＰＵ１１ｄの選択操作受付部６０ｄは、１人以上のチャット候補者を表示して、その中からチャット対象者を指定する操作を受け付ける。
選択操作受付部６０ｄは、更に、通信部１９ｄを介して、サーバ１に指定したチャット対象者を特定する情報を送信する。
【００２６】
配信者端末２のＣＰＵ１１ｄの撮像制御部６１ｄは、入力部１７ｄを撮像部６３ｄとして制御し、配信者のメッセージを撮像、録音、キーボード入力及びポインティングデバイス入力（以下、「撮像等」という）させる。
配信者端末２のＣＰＵ１１ｄの撮像制御部６１ｄは、更に、通信部１９ｄを介して、サーバ１に撮像等した配信者のメッセージを送信する。
【００２７】
視聴者端末４−ａのＣＰＵ１１ａの撮像制御部６０ａは、サーバ１からの撮像等の開始指示を受けて入力部１７ａを撮像部として制御し、チャット対象者である視聴者のメッセージを撮像等させる。
視聴者端末４−ａは、更に、通信部１９ａを介して、サーバ１に撮像等したチャット対象者である視聴者のメッセージを送信する。
【００２８】
配信者端末２のＣＰＵ１１ｄの表示制御部６２ｄは、チャットの候補者の一覧、チャットの内容及びチャットの内容を含む所定のコンテンツを受信し、表示部１６ｄに表示させる。
【００２９】
視聴者端末４−ａのＣＰＵ１１ａの表示制御部６１ａは、チャットの内容及びチャットの内容を含む所定のコンテンツを受信し、表示部である出力部１６ａに表示させる。
視聴者端末４−ｂのＣＰＵ１１ｂの表示制御部６１ｂは、チャットの内容を含む所定のコンテンツを受信し、表示部である出力部１６ｂに表示させる。
視聴者端末４−ｃのＣＰＵ１１ｃの表示制御部６１ｃは、チャットの内容を含む所定のコンテンツを受信し、表示部である出力部１６ｃに表示させる。
【００３０】
なお、視聴者端末４−ｂのＣＰＵ１１ｂの撮像制御部６０ｂ又は視聴者端末４−ｃのＣＰＵ１１ｃの撮像制御部６０ｃは、入力部１７ｂ又は入力部１７ｃを撮像部として制御し、視聴者のサムネイル動画等を撮像等させて良い。
撮像制御部６０ｂ又は撮像制御部６０ｃは、更に、通信部１９ｂ又は通信部１９ｃを介して、サーバ１に撮像等した視聴者のサムネイル動画等を送信して良い。
【００３１】
この場合、サーバ１のＣＰＵ１１の表示制御部６０は、通信部１９を介して、チャット候補者のサムネイル動画等をアイコンとして配信者端末２の表示部１６ｄに１人以上表示させる。
さらに、夫々のチャット候補者について、離席中や取込み中の様なステータスを表示させて良い。
【００３２】
図４は、図１の情報処理システムのうち配信者端末に提示される画面の一例を示す図である。
図４の画面の右領域のチャット候補者一覧表示部ＬＳＴには、１人以上のチャットの候補者（視聴者端末４により撮像された画像）の夫々が個別に表示される。
チャット候補者一覧表示部ＬＳＴは、配信者端末２においては、チャット対象者の指定を指示する操作受付領域として機能する。なお、ライブ配信として、その他の視聴者端末４において表示される場合は、単なる表示領域である。
チャット対象者を指定する操作は、チャット候補者一覧表示部ＬＳＴの中の１人の表示領域のタップであって良い。これにより配信者は、チャット対象者を切り替えることができる。また、更にはチャット対象者の追加又は除外をすることが出来て良い。
【００３３】
配信者端末２においては、チャット候補者一覧表示部ＬＳＴは、スクロール操作を行うことにより、チャット候補者を入れ替えて、表示数以上のチャット候補者を表示させることが出来て良い。
なお、候補者は、配信者端末２に対して所定の操作を行うことで、チャット候補者一覧表示部ＬＳＴにおけるチャットの候補者の並び順を所望の順番で並べ替えることができるものとする。即ち、表示制御部６０は、チャットの候補者の並び順を配信者端末２からの編集結果に基づいて表示させることができる。
【００３４】
また、表示制御部６０は、チャット候補者一覧表示部ＬＳＴに表示されるチャットの候補者の画像に近接して、当該チャットの候補者のステータス（例えばオンライン中とオフライン等のステータス）を表示させる。
【００３５】
また、配信者は、配信者端末２に対して所定の操作を行うことで、表示制御部６０の制御に基づいて、チャット候補者一覧表示部ＬＳＴに表示されるチャットの候補者を属性毎に分類又は順に並び替えて表示させることもできる。
例えば、表示制御部６０は、チャットの候補者を、在住地毎に並び替えたり、年代別に並び替えたりすることができる。
【００３６】
図４の画面の左上領域の配信者メッセージ表示部ＤＭには、配信者端末２の撮像部が撮像等した画像（主に配信者の顔画像や、配信者が発したコメント等のテキスト画像）が表示される。
図４の画面の中央下領域のチャット対象者メッセージ表示部ＦＭには、視聴者端末４−ａの撮像部が撮像等した画像（主にチャット対象者の顔画像や、チャット対象者が発したコメント等のテキスト画像）が表示される。
【００３７】
図４の画面の左下領域のゲストユーザメッセージ表示部ＧＭは、配信者がゲストユーザを招待した場合に、ゲスト端末３の撮像部が撮像等した画像（主にゲストの顔画像や、チャット対象者が発したコメント等のテキスト画像）を表示させる表示領域である。
なお、配信者がゲストとしてユーザを招待していない状態では、ゲストユーザメッセージ表示部ＧＭは縮小又は消滅させて良い。この様にすることにより、他の表示領域を拡大させて表示することが、可能となる。
このような図４の画面の全部又は一部が、ライブ配信として配信され、視聴者端末４−ｂで表示される。
この様にすることにより、例えば配信者としてアイドルタレント等がライブ配信する場合、任意のファン（視聴者）との対話を自由に切り替えてライブ配信に載せることにより、視聴しているファンに「いつか選ばれるかもしれない」という期待感を醸成することができる。
【００３８】
図５は、図３の機能的構成を有するサーバが実行する、処理の流れの一例を説明する。
サーバ１では、ライブ配信処理として、次のような一連の処理が実行される。
【００３９】
ステップＳ１１において、表示制御部６０は、任意の方法で抽出したチャット候補者を配信者端末２に一覧表示させる。
ステップＳ１２において、受付部６１は、チャット対象者を指定する操作を受け付ける。
【００４０】
ステップＳ１３において、チャット制御部６２は、配信者端末２に配信者を、及び視聴者端末４−ａにチャット対象者を、夫々撮像等させる。
【００４１】
ステップＳ１４において、チャット制御部６２は、配信者端末２及び視聴者端末４−ａに、相互で撮像等された結果得られるメッセージを相互に送信する。
このようなステップＳ１３及びＳ１４の処理により、配信者とチャット対象の間でのチャットが行われる。
ステップＳ１５において、サーバ１は、チャットを含むコンテンツをライブ配信する。
【００４２】
図６は、図３の機能的構成を有するサーバが実行する、コイン投入量でチャット対象者の選出に係る優先順位を決定する処理の概要を示す図である。
本発明の一実施形態に係る情報システムは、当該システム上において仮想的にコインを販売することにより有料で課金を行って良い。
【００４３】
この様にすることにより、配信者とのチャットを楽しみたい視聴者にとっては、コインの投入を重ねることで、チャットに繋がりたいという願望をより実現させ易くすることができることとなる。一方、配信者（チャットを繋げる側のアイドル等）にとっては、各視聴者毎のコインの各投入量を容易に認識することができるので、次に誰とチャットを繋げるのかを容易に認識又は判断することができる。
【００４４】
図６は、本発明の一実施形態に係る情報システムにおいて、チャット対象者として選出されることを希望する視聴者であるユーザＡ、ユーザＢ及びユーザＣの夫々が、自身のチャット対象者としての選出に係る優先順位を上げるべく、コインを投入している状況を、示している。
図６の上段は、係る状況における当初の状態であり、１５０枚のコインを本システムに投入したユーザＢがチャット対象者としての選出に係る優先順位第１位であり、１２０枚のコインを本システムに投入したユーザＣが選出に係る優先順位第２位であり、８０枚のコインを本システムに投入したユーザＡは選出に係る優先順位第３位となっている。
【００４５】
この状況において、優先順位第１位となったユーザＢがチャット対象者に選出され、チャット対象者に選出されなかったユーザＡが５０枚のコインを更に投入した場合が、図６の下段に示されている。
すなわち、累計１３０枚のコインを本システムに投入したユーザＡがチャット対象者としての選出に係る優先順位第１位であり、１２０枚のコインを本システムに投入したユーザＣが選出に係る優先順位第２位であり、チャット対象者に選出されたことによりコインを投入した１５０枚のコインの全てを消費して、コイン投入量が０枚となったユーザＢは選出に係る優先順位第３位となるのである。
【００４６】
図７は、本発明の一実施形態に係る情報処理システムのうちの、視聴者端末に提示される画面の一例を示す図である。
本発明の一実施形態に係る情報処理システムは、チャットを含む所定のコンテンツのライブ配信を開始する際に、所定の視聴者端末の夫々にライブの配信者からの通話に係る着信を受けた状態を示す画面と同様の画面を表示させる。
【００４７】
図７は、係る状況における視聴者端末の表示画面の一例であり、通常の通話着信時と同様の画面の表示をもって、ライブ配信の開始がタイムリーに通知されている。
即ち、例えば受話器が描かれたスワイプ操作可能なシンボルが、発信者名としてのライブの配信者を指称する個人名等と共に表示される。
【００４８】
当該画面においては視聴者は、通常の電話着信時における応答を行うスワイプ操作と同様の操作により、ライブ配信の視聴を開始することができる。
係る機能は、端末のメーカ等が供給する通話機能連動開発環境により、比較的容易に実現することが可能となっている。
【００４９】
この様にすることにより、視聴者は視聴者端末操作開始時に要求されるロック解除操作、アプリケーション起動操作等の、視聴の為の各準備操作を省略することができ、手間取ることなく速やかに、視聴を開始することができることとなる。
これにより視聴者は、着信音、着信通知バイブレーション等により配信直前のギリギリのタイミングでライブ配信の開始が迫っていることを認識してからであっても、ライブ配信の視聴を配信開始と略同時までに確実に開始することができることとなる。
【００５０】
図８は、本発明の一実施形態に係る情報処理システムのうちの、視聴者端末に提示される画面の一例を示す図である。
上述の通り、本発明の一実施形態に係る情報処理システムは、ライブ配信の開始に係る通知を、ライブの配信者からの通話に係る着信を受けた場合と同様の着信画面を表示させることにより行う。
【００５１】
ここで、当該情報処理システムは、着信履歴についてもライブの配信者からの通話に係る着信を受けた場合と同様の着信履歴として、視聴者端末等に記憶させる。
図８は、係る状況における視聴者端末の着信履歴表示画面の一例であり、視聴者は通話着信履歴について通常の閲覧操作を行うことにより、視聴をした、或いは見逃したライブ配信について、ライブ配信の開始に係る通知が有ったことを視認することができる。
【００５２】
この様にすることにより、視聴者は、格別意識することなく視聴者端末の通話機能を利用していれば、次回のライブ配信について、注意を喚起されることとなるのである。
【００５３】
以上、本発明の実施形態について説明したが、本発明は前述した実施形態に限るものではない。また、本実施形態に記載された効果は、本発明から生じる最も好適な効果を列挙に過ぎず、本発明による効果は、本実施形態に記載されたものに限定されるものではない。
【００５４】
例えば、チャット候補者一覧表示部ＬＳＴ及びチャット対象者メッセージ表示部ＦＭに表示される、主に顔画像である撮像部が撮像した画像に対して、例えばプリクラ画像のようなデコレーション加工を加えるあるいは解除する操作ができるように、サーバ１及び視聴者端末４を構成しても良い。
デコレーション加工の態様としては、手書き調の書き込みを重畳させる落書き加工、両目を肥大化させるデカ目加工、肌の色調を色黒又は色白に補正するガングロ加工又はガンジロ加工、あざ、ニキビ、ほくろ、虫刺され痕等を消す美肌加工、顔を小さく見せる小顔加工、表情を変化させる変顔加工、髪型や髪色を変えるカツラ加工、着衣を変えるコスプレ加工、動物の耳や鼻等のパーツを追加するアニマル加工、プライバシー保護に用いられる目線で両目を隠す目隠し加工、顔つきを幼児風とする子供加工、顔つきを老人風とする加齢加工、顔つきをロボット風とするロボ加工、太った顔つきとするデブ加工、痩せた顔つきとする痩せ加工、顔を漫画調とするキャラ加工、化粧を施すメイク加工、メガネを掛けるメガネ加工、傷痕や刺青を追加する強面加工等であって良い。
【００５５】
また、上記の顔画像に替えて、アバター等の動画または静止画を指定して表示させる操作ができるようにサーバ１及び視聴者端末４を構成しても良い。これにより、素顔を公開したくない、あるいはチャットの対象者の座を争う他の視聴者よりも目立ちたい、チャットの対象者となった場合に強い印象を与えて記憶に残りたい等の、視聴者の欲求に応えることができる。
また、チャット候補者一覧表示部ＬＳＴに表示されるチャット候補者を並べ替える操作が配信者以外のスタッフにもできるように、配信者端末２と同様の端末を追加できるように構成しても良い。
【００５６】
また、チャット候補者一覧表示部ＬＳＴに表示されるチャット候補者の一覧は、上述のように、一定時間が経過すると更新されてしまうので、配信者端末２を物理的に振動させ、あるいは表示画面を振動させることにより、現在候補者一覧に表示中のチャット候補者が切り替わる直前（例えば３０秒前）に、配信者端末２の操作者である配信者等に事前に通知するバイブレーション機能を備えて良い。
この様にすることにより、チャット対象者を急いで切り替える契機を、配信者に与えることができる。
【００５７】
また、チャット候補者の抽出において、特定の年齢層が優先して表示されるように、年齢に基づく重みを付けて優先順位を決定するようにしても良い。
この様にすることにより、例えば新社会人生活を題材とする映画等を話題としたい場合に、親近感を抱くと思われる年齢層の候補者を、一覧に表示させることができる。
【００５８】
また上述の通り、視聴者端末４において、自身が優先的に表示されるためのコインを購入する操作、及び購入したコインを投入する操作ができるようにして、サーバ１においては、投入されたコインの金額に応じた重みを付けて優先順位を決定するようにしても良い。
【００５９】
また、視聴を続けている全ての視聴者端末４について、長時間視聴している視聴者が優先して表示されるように、視聴時間に応じて重みを付けて優先順位を決定するようにしても良い。
あるいは、視聴時間に応じてコインがプレゼントされるようにして、そのコインを投入するか否かは視聴者の判断に任せても良い。
視聴時間は、他チャンネルへの切り替え無しに、連続して視聴した時間であって良い。
【００６０】
また、購入又はプレゼントにより取得したコインを、視聴者が長期間使わずに（投入せずに）放置した場合は消滅するように、有効期限を設けても良い。
この様にすることにより、視聴者が期限間際にコインを惜しむ事無く積極的に活用しようとする動機を与えることができる。
【００６１】
また、投入したコインは、チャット対象者に選ばれなければ消費されないが、チャット対象者に選ばれた場合は、チャットを続けている時間に応じて消費されるようにしても良い。
【００６２】
また、チャット中のコイン消費量については、投入コイン量が多いほど消費量も多い等の調節を行っても良い。
この様にすることにより、チャットの対象者となる為には金銭を支払っても良いと考える者の要望に応えつつも、資金量の豊富な視聴者ばかりが優遇される事態を解消し、資力に乏しい学生等でも、一定時間以上チャットの対象者となり得ることとすることができる。
【００６３】
また、配信者等によるチャット対象者の選択操作は、チャット候補者一覧表示部ＬＳＴ上でのタップ操作による他、チャット対象者メッセージ表示部ＦＭ上でのスワイプ操作を採用して良い。
例えば、チャット対象者メッセージ表示部ＦＭ上で右方向にスワイプすれば、チャット候補者一覧表示部ＬＳＴ上でチャット対象者の右側に表示されているチャット候補者を選択したことになる。
【００６４】
また、チャット候補者一覧表示部ＬＳＴ上での縦方向又は横方向のスワイプ操作により、チャット候補者をスクロールで入れ替え出来て良い。
この場合において、表示外の範囲の候補者を先読みさせておくことができる。
この様にすることにより、チャット候補者一覧表示部ＬＳＴでのスクロールが、スワイプ操作にスムーズに追随出来ることとなる。
【００６５】
また、優先順位に基づいて、各チャット候補者の現在の待ち人数等を、視聴者端末４−ｂの表示部に表示させて良い。
【００６６】
また、チャット候補者に選出されたことを視聴者端末４−ｂに一斉に通知して、後にチャット対象者となることに応じる又は辞退する旨を応答させて良い。
係る場合の優先順位を、視聴者側端末での応じる旨の応答順として良く、あるいは１００番目等のいわゆるキリ番や、何らかの意味のある数字の応答順を優先順位第１位とするなどして良い。
【００６７】
また、優先順位は、フォロワー、ファンサイト登録ユーザ等を優先させて良い。
【００６８】
また、多数のチャット候補者を順次チャット対象者としていくことでチャット候補者が少なくなった場合に、配信者端末２等においてチャット候補者を追加選出させる候補追加選択指示が、行えて良い。
【００６９】
例えば、図２に示す各ハードウェア構成は、本発明の目的を達成するための例示に過ぎず、特に限定されない。
【００７０】
また、図３に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図３の例に限定されない。
【００７１】
また、機能ブロックの存在場所も、図３に限定されず、任意でよい。例えばサーバ１側の機能ブロックの少なくとも一部を配信者端末２側等に設けてもよいし、その逆でもよい。
そして、１つの機能ブロックは、ハードウェア単体で構成してもよいし、ソフトウェア単体との組み合わせで構成してもよい。
【００７２】
また例えば、上述の実施形態では配信者端末２はパーソナルコンピュータで構成されていたが、パーソナルコンピュータだけでなく、タブレットや今後の新しいデバイスを含めた任意の装置で構成することもできる。
【００７３】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００７４】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００７５】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００７６】
以上まとめると、本発明が適用される情報処理システムは、次のような構成を取れば足り、各種各様な実施形態を取ることができる。
即ち、本発明が適用される情報処理システムは、
ライブの配信者（アイドルタレント等）が操作する配信者端末（例えば配信者端末２）と、
当該ライブの複数の視聴者が夫々操作する複数の視聴者端末（例えば視聴者端末４−１乃至４−ｍ）と、
前記配信者端末及び前記複数の視聴者端末の夫々と通信をするサーバ（例えばサーバ１）と、
を含む情報処理システムにおいて、
前記サーバは、
前記ライブの配信において前記複数の視聴者の中から、チャットの候補者を前記配信者端末に１人以上表示させる表示制御手段（例えば図３の表示制御部６０）と、
１人以上の前記候補者の中からチャット対象者を前記配信者が指定する操作を前記配信者端末を介して受け付ける受付手段（例えば図３の受付部６１）と、
前記チャット対象者の前記視聴者端末と、前記配信者の前記配信者端末との間でチャットを行うチャット制御手段（例えば図３のチャット制御部６２）と、
当該チャットの内容を含む所定のコンテンツを、前記複数の視聴者端末の夫々にライブ配信するライブ配信手段（例えば図３のライブ配信部６３）と、
を備える、
情報処理システムであれば足りる。
このような情報処理システムを適用することで、より多くのファンがライブ配信を視聴する契機とすることができる技術を提供することができる。
【符号の説明】
【００７７】
１・・・サーバ、２・・・配信者端末、３−１乃至３−ｎ・・・ゲスト端末、４−１乃至４−ｍ・・・視聴者端末、４−ａ・・・チャット対象者視聴者端末、４−ｂ・・・視聴者端末（チャット候補者）、４−ｃ・・・視聴者端末（チャット対象者、チャット候補者以外）、１１・・・ＣＰＵ、１２・・・ＲＯＭ、１３・・・ＲＡＭ、１４・・・バス、１５・・・入出力インターフェース、１６・・・出力部、１７・・・入力部、１８・・・記憶部、１９・・・通信部、２０・・・ドライブ、４１・・・リムーバブルメディア、６０・・・表示制御部、６１・・・受付部、６２・・・チャット制御部、６３・・・ライブ配信部、６４・・・時間管理部、６５・・・チャット接続部、６０ｄ・・・選択操作受付部、６１ｄ・・・撮像制御部、６２ｄ・・・表示制御部、６０ａ・・・撮像制御部、６１ａ・・・表示制御部、６０ｂ・・・撮像制御部、６１ｂ・・・表示制御部、６０ｃ・・・撮像制御部、６１ｃ・・・表示制御部、ＬＳＴ・・・チャット候補者一覧表示部、ＤＭ・・・配信者メッセージ表示部、ＦＭ・・・チャット対象者メッセージ表示部、ＧＭ・・・ゲストユーザメッセージ表示部、Ｎ・・・ネットワーク
【図１】
2018074516.tif 000003
【図２】
2018074516.tif 000004
【図３】
2018074516.tif 000005
【図４】
2018074516.tif 000006
【図５】
2018074516.tif 000007
【図６】
2018074516.tif 000008
【図７】
2018074516.tif 000009
【図８】
2018074516.tif 000010
【国際調査報告】
2018074516.tif 000011
2018074516.tif 000012
2018074516.tif 000013
2018074516.tif 000014